(57)【特許請求の範囲】
【請求項１】
冷蔵庫本体に装着された開閉可能な扉と、前記冷蔵庫本体内に形成され摂氏０度を上回る所定の設定温度帯で食品を保存する貯蔵室と、前記貯蔵室を加湿する加湿手段とを備えた冷蔵庫において、
前記加湿手段は、
製氷用の水を貯める貯水手段と、
前記貯水手段のふたと、
前記貯水手段の内部に設けられ、該貯水手段内の水に触れない位置かつ、前記水の水面と平行又は斜めに配設された調湿部材と、
前記貯水手段と前記貯蔵室を連通する第１の風路と、
前記調湿部材を通過した空気を前記第１の風路を介して前記貯蔵室へ搬送する空気搬送手段と、
前記貯水手段に流入した空気が出入りしないように設けられる部材、及び、前記調湿部材によって構成され、前記調湿部材を挟んで相対する位置に互いに分離して形成された第１及び第２の空隙を区画する区画部材と、を備え、
前記第１の空隙は、前記貯水手段の水面と前記調湿部材の下面に触れるように形成され、
前記第２の空隙は、前記貯水手段の内部であって前記調湿部材の上面に接し前記水面に触れないように形成され、
前記貯水手段に流入して前記第１の空隙に到達した空気は、前記調湿部材を通過した後、前記第２の空隙を通過して前記貯蔵室に搬送されることを特徴とする冷蔵庫。
【請求項２】
前記調湿部材は、前記貯水手段の設計最大水位にも触れない位置に配設されたことを特徴とする、請求項１に記載の冷蔵庫。
【請求項３】
前記空気搬送手段は、前記調湿部材から前記貯蔵室への空気搬送を遮断するための弁をさらに備え、
前記遮断を行うとともに前記貯蔵室内の空気を前記空気搬送手段により排出させ前記貯蔵室内の空気の圧力を負圧状態とした後、前記弁によって前記貯水手段と前記貯蔵室を連通して、前記調湿部材を通過した空気を前記第１の風路を介して前記貯蔵室へ搬送することを特徴とする、請求項１又は請求項２に記載の冷蔵庫。
【請求項４】
前記貯蔵室から前記調湿部材へ空気を還流するための第２の風路を設け、
前記第１および前記第２の風路は循環風路を構成したことを特徴とする、請求項１又は請求項２に記載の冷蔵庫。
【請求項５】
前記貯蔵室内の空気の温度を検知する温度検知手段を設け、
前記加湿手段は、前記温度検知手段と連動して前記温度が上昇した場合に前記貯蔵室を加湿するよう構成されたことを特徴とする、請求項１から請求項４のいずれかに記載の冷
蔵庫。
【請求項６】
前記貯蔵室内の空気を排気するための排気口が前記貯蔵室の上面ないし側面上部のいずれかに設けられたことを特徴とする、請求項１から請求項５のいずれかに記載の冷蔵庫。
【請求項７】
前記貯蔵室は、前記冷蔵庫本体と着脱が可能であり、さらに、前記貯蔵室の着脱の際に前記貯蔵室内と前記風路内との接続または切り離しを行うための空気接続部が設けられたことを特徴とする、請求項１から請求項６のいずれかに記載の冷蔵庫。
【請求項８】
前記貯蔵室内にミスト発生器を設け、前記加湿手段により加湿された空気が前記ミスト発生器近傍に供給されるよう構成されたことを特徴とする、請求項１から請求項７のいずれかに記載の冷蔵庫。
【請求項９】
前記加湿手段は、所定時間毎に間欠的に前記貯蔵室を加湿するよう構成されたことを特徴とする、請求項１から請求項８のいずれかに記載の冷蔵庫。
【発明の詳細な説明】
【技術分野】
【０００１】
本発明は，加湿手段を具備し，食品の高湿度環境での保存を可能とした冷蔵庫に関わる。
【背景技術】
【０００２】
一般に，家庭用の冷蔵庫（以下，「冷蔵庫」と称す。）において，庫内を高湿環境に保って食品を保存することは鮮度保持に効果的であることが知られている。例えばケーキやお惣菜などの保存においては，食品からの水分の蒸発量を抑えることができ，おいしさや鮮度を長期間に亘って保つことができる。さらに，食品を包装（ラップ等）する，あるいは密閉容器（タッパー等）に密閉するといった手間が省け，消耗品を節約することができる。また，野菜の保存においても，高湿環境では野菜中の水分の蒸散作用を抑えることができるため，野菜のみずみずしさを長く保つことができる。
【０００３】
従来，このような冷蔵庫として，庫内の空気中の水分を結露させてミストとして噴霧し庫内を加湿するもの（例えば，特許文献１），自動製氷装置に製氷用水を供給する給水タンク内の水を攪拌することにより気化させて加湿するもの（例えば，特許文献２），自動製氷機へ供給される水の一部をフィルターへ供給し，フィルターに吸着した湿気を超音波振動子により放出させて加湿するもの（例えば，特許文献３）などが提案されている。
【先行技術文献】
【特許文献】
【０００４】
【特許文献１】特開２００８−２５６２５７号公報
【特許文献２】特開２００８−１２８６２９号公報
【特許文献３】特開２００５−１６７９０号公報
【発明の概要】
【発明が解決しようとする課題】
【０００５】
しかし，上記特許文献１の冷蔵庫では，加湿用の水分として冷蔵庫内の空気中の水分を利用するが，冷蔵庫内の空気は通常は低温低湿状態であるため，庫内を加湿するのに必要な水分を十分確保することが難しいという問題がある。また，特許文献２の冷蔵庫では，加湿効率を向上させるため水面を攪拌する攪拌機構が必要となるので，加湿手段の構造が複雑になるという問題がある。また，特許文献３の冷蔵庫では，水に含まれる不純物も水と一緒にフィルターに直接供給されるため，フィルターが目詰まりするという問題がある。
本発明は，上記に示すような問題を解決し，構造が簡単で，フィルターが目詰まりせず，加湿用の水分を十分供給可能な加湿手段を備えた冷蔵庫を提供することを目的とする。
【課題を解決するための手段】
【０００６】
本願発明に係る冷蔵庫は、冷蔵庫本体に装着された開閉可能な扉と、前記冷蔵庫本体内に形成され摂氏０度を上回る所定の設定温度帯で食品を保存する貯蔵室と、前記貯蔵室を加湿する加湿手段とを備えた冷蔵庫において、前記加湿手段は、製氷用の水を貯める貯水手段と、前記貯水手段のふたと、前記貯水手段の内部に設けられ、該貯水手段内の水に触れない位置かつ、前記水の水面と平行又は斜めに配設された調湿部材と、前記貯水手段と前記貯蔵室を連通する第１の風路と、前記調湿部材を通過した空気を前記第１の風路を介して前記貯蔵室へ搬送する空気搬送手段と、前記貯水手段に流入した空気が出入りしないように設けられる部材、及び、前記調湿部材によって構成され、前記調湿部材を挟んで相対する位置に互いに分離して形成された第１及び第２の空隙を区画する区画部材と、を備え、前記第１の空隙は、前記貯水手段の水面と前記調湿部材の下面に触れるように形成され、前記第２の空隙は、前記貯水手段の内部であって前記調湿部材の上面に接し前記水面に触れないように形成され、前記貯水手段に流入して前記第１の空隙に到達した空気は、前記調湿部材を通過した後、前記第２の空隙を通過して前記貯蔵室に搬送されることを特徴とする。
【発明の効果】
【０００７】
本発明によれば，貯水手段の上部でかつ前記加湿用の水に触れない位置に配設された調湿部材を備え，調湿部材を通過した空気を前記貯蔵室へ搬送する構成なので構図が簡単な加湿手段を提供できる。また，前記加湿用の水に触れない位置に調湿部材を配設しているので，貯水手段の水が満水の場合においても調湿部材が水に直接接触することがないため，フィルターが不純物やスケールで目詰まりを起こすことない。さらに，搬送される空気は，調湿部材内を空気が通過する際に調湿部材に含まれた水分を脱着して取り込み，高湿度の空気となり貯蔵室に供給されるので，冷蔵庫内の所定の貯蔵室を加湿することができる。また，製氷用の貯水手段に貯めた水を加湿に利用することで調湿手段を別個に設ける必要がなくなり、冷蔵庫内の他のスペースに割り当てることができる。
【図面の簡単な説明】
【０００８】
【図１】本発明の実施の形態１に係る冷蔵庫の正面図である。
【図２】本発明の実施の形態１に係る冷蔵庫の側断面図である。
【図３】本発明の実施の形態１に係る冷蔵室の要部拡大側断面図である。
【図４】本発明の実施の形態１に係る貯蔵室の風路接続概略図である。
【図５】（ａ）（ｂ）は本発明の実施の形態１に係る給水タンクと風路との接続部の異なる実施形態を示す要部拡大側断面図である。
【図６】本発明の実施の形態２に係る冷蔵室の要部拡大側断面図である。
【図７】本発明の実施の形態２に係る貯蔵室の風路接続概略図である。
【図８】本発明の実施の形態３に係る冷蔵室の要部拡大側断面図である。
【図９】本発明の実施の形態３に係る貯蔵室の風路接続概略図である。
【図１０】本発明の実施の形態３に係る冷蔵室の要部拡大側断面図である。
【図１１】本発明の実施の形態４に係る冷蔵室の要部拡大側断面図である。
【図１２】本発明の実施の形態４に係る貯蔵室の風路接続概略図である。
【図１３】本発明の実施の形態５に係る冷蔵室の要部拡大側断面図である。
【発明を実施するための形態】
【０００９】
実施の形態１．
以下に，本発明の実施の形態１について図１ないし図５を用いて説明する。なお，同一ないしは同様の構成部分には同一ないしは同様の符号を付する。また，本発明の要旨の説明に関係しない詳細な構成等についてはその説明の一部を省略する。
本実施の形態では，貯水手段として給水タンクを，調湿部材として吸湿剤を，空気搬送手段としてポンプを用いている。
図１は，本発明の実施の形態１に係る冷蔵庫の正面図である。
図において冷蔵庫は，冷蔵庫本体１の最上部に配置される冷蔵室１００，冷蔵室１００の下に配置される切替室２００，冷蔵室１００の下に切替室２００と並列に配置される製氷室３００，切替室２００と製氷室３００の下に配置される野菜室４００，冷蔵庫本体１の最下部に配置される冷凍室５００，などから構成される。
【００１０】
冷蔵室１００は，開閉可能な扉を備え，冷蔵温度帯（例えば３℃といった摂氏０度を上回る所定の温度）に設定される。切替室２００は，引き出し用扉を備え，冷凍温度帯（例えば−１８℃）から冷蔵（例えば３℃），チルド（例えば０℃），ソフト冷凍（例えば−７℃）など各種温度帯に切り替えて設定可能なように構成される。同様に，製氷室３００，野菜室４００，冷凍室５００は，引き出し用扉を備え，各個室に適した温度設定がなされる。
また，図示しないが，冷蔵室１００の扉の表面には，各個室の温度や設定を調節する操作スイッチ部と各個室の温度などを表示する液晶表示部などとから構成される操作パネルが設けられている。
【００１１】
図２は，本発明の実施の形態１に係る冷蔵庫の側断面図である。
図において，冷蔵庫本体１の背面側外部に冷凍サイクルを構成する圧縮機２が，その背面側内部に同じく冷凍サイクルを構成する冷却器３が配置され，さらに，冷却器３により冷却された冷気を冷蔵室１００などに送風するためのファン４，冷却器３により冷却された冷気を冷蔵室１００などに導入するための冷却用風路５が設けられている。
なお，各個室及び風路は，断熱材を用いた複数の仕切り壁や風路用ダクト（図示しない）などにより区分けないしは構成される。また，冷蔵庫の各機器動作を制御する制御基板等の制御装置（図示しない）がある。
【００１２】
以上のような装置により，冷気の供給，冷蔵庫内各個室の温度の変更及び所定の温度の維持，霜取り，製氷，照明，操作スイッチとの間での情報の入出力，など各種の制御が行なわれる。例えば，図中の矢印は，冷却器３で冷却された空気が冷蔵室１００へ導入される様子を示している。
【００１３】
冷蔵室１００の下部には，冷蔵室１００と製氷室３００とを区画する仕切壁６００に形成した凹部に給水タンク６が配設され，さらに，給水タンク６の配設によって生じた製氷室３００の凸部の後方に製氷コーナー７が配設されている。
また，冷蔵室１００内の最下段には，略独立して貯蔵室８が設けられている。貯蔵室８は，特に専用の温度制御を行わない場合には，冷蔵室内の空気に対する温度制御に従い内部の空気温度が変化する。同様に，給水タンク６も冷蔵室１００の温度制御に従うので，内部の空気の温度も冷蔵温度帯（即ち摂氏０℃より高い温度）となる。
【００１４】
次に，本発明に係る加湿手段の構成について説明する。
図３は，実施の形態１に係る冷蔵室１００の要部拡大側断面図である。なお，図においては，冷蔵室１００下部に配設した貯蔵室８を中心に示している。また，図中の矢印は，加湿手段に係る空気の流れを示している。
図において，貯蔵室８は，開閉可能な貯蔵室８のふた９と食品を置くことができるトレイ１０とを一体化して，両者を手前方向に引き出して食品を投入することができる構成となっている。また，貯蔵室８の上部は食品棚を兼用する。
貯蔵室８内の背面には，貯蔵室８内の空気の温度を検知する温度検知手段としての温度センサ１１（例えば，サーミスタ）が設置され，冷蔵庫の制御装置（図示しない）に接続される。
【００１５】
給水タンク６は，タンク全体が冷蔵庫本体１と着脱可能であり，さらに，タンクの下部と着脱可能なタンクのふた１２とに分離可能となっている。給水タンク６の全体的な形状については，本発明が実施可能であれば特に制限はない。
給水タンク６内の上部には，調湿部材である吸湿剤１３が給水タンク６内の水に触れない位置に配設され，給水タンク６に設計最大水位まで水が貯まった場合でも水面と吸湿剤１３の下端との間に空隙を設けるように構成されている。吸湿剤１３としては，例えばゼオライトなどの結晶性の規則的な多孔質構造を有する材料を用い，さらに材料を成形し，通気性のある枠（図示しない）などで支持あるいは通気性のある担体（図示しない）に担持させている。
【００１６】
給水タンクのふた１２と貯蔵室８には，吸気ないしは排気を可能とするための孔または隙間が設けられている。
また，給水タンク６は，風路１４により貯蔵室８と連通される。風路１４の途中には空気搬送手段であるポンプ１５が配置される。
給水タンク６の詳細，特に給水タンク６と風路１４との接続部分の詳細な構成については，図５において後述する。
図４は，本発明の実施の形態１に係る貯蔵室８の風路接続概略図である。なお，図中の矢印は，図３と同様に，加湿手段に係る空気の流れを示している。
【００１７】
図５（ａ），（ｂ）は，本発明の実施の形態１に係る給水タンク６と風路１４との接続部分の異なる実施形態の要部を拡大した側断面図である。なお，図５（ｂ）では，図５（ａ）の構成と異なる接続口１７付近のみを示している。また，図中の矢印は，図３ないし図４と同様に，加湿手段に係る空気の流れを示している。
図において，給水タンク６の吸湿剤１３の配設位置付近に接続口１７が設けられ，給水タンク６を冷蔵室１００内の所定位置に設置することで風路１４と接続される構成になっている。図においては，給水タンクのふた１２に空気を通す穴１２ａが形成され，また，穴１２ａの下方には吸湿剤１３が配設されない場合の構成例を示している。
図５（ａ）は，接続口１７が給水タンク６の側面に設けられた場合の構成例を，図５（ｂ）は，給水タンク６の側面を折り曲げて形成した突出部分の底部に接続口１７が設けられた場合の構成例を示している。
【００１８】
図において，吸湿剤１３は，給水タンク６内の上部でかつ給水タンク６内に水を貯めた場合にも常に水に触れない位置に配設される。即ち，吸湿剤１３が水と触れないようにするため，水と吸湿剤１３との間に所定の空隙（以下，第１の空隙と記載。）７００が形成されるようにして配設される。
図では，吸湿剤１３は板状でありその断面が全体として水面と平行になるように配設され，また，給水タンク６の設計時に規定した最大水位（設計最大水位）まで水を貯めた場合にも水に触れないよう配設されている。
【００１９】
また，吸湿剤１３の上方，即ち吸湿剤１３と給水タンクのふた１２との間，にも別途空隙（以下，第２の空隙と記載。）８００が形成される。即ち，吸湿剤１３を挟んで相対する位置に空隙７００，８００が各々形成される。図においては，両空隙は吸湿剤１３の上面及び下面と全面的に接するように形成されているが，図の構成に限定されない。
吸湿剤１３の上方に形成された第２の空隙８００と貯蔵室８とは風路１４で連通され，給水タンク６に接続のための接続口１７が形成される。吸湿剤１３の上下に形成された空隙７００，８００は，吸湿剤１３などによって分離及び区画されるとともに，空気が両空隙間で直接出入りしないよう形成される。
なお，図４の風路接続概略図に示した給水タンク６から貯蔵室８へ空気が流れる風路（以下，第１の風路と記載。後述する各実施の形態において同様。）は，図５における第１の空隙７００，吸湿剤１３の配設領域，第２の空隙８００及び風路１４内が相当する。即ち，吸湿剤１３は第１の風路の途中に配設される。
【００２０】
次に，加湿手段の加湿動作について以下に説明する。
給水タンク６は，冷蔵庫の使用者により冷蔵庫本体１から取り出されて水が入れられた後に，冷蔵庫本体１内の所定位置に設置される。
給水タンク６に水が入った状態では，給水タンク６の水が水面から自然蒸発し，蒸発した水分は，給水タンク６内の空気が湿度１００％に達するまで第１の空隙７００内の空気に供給される。前記自然蒸発と並行して，吸湿剤１３は，第１の空隙７００内の空気に含まれる水分を吸着することで，給水タンク６の水から供給された水分を吸湿剤１３の最大吸湿量に達するまで含むようになる。なお，最大吸湿量は，使用する吸湿剤の特性などで決まる量である。
【００２１】
このような構成の冷蔵庫において，冷蔵庫の制御装置（図示しない）の制御によりポンプ１５が作動すると，冷蔵室１００内の空気は，ポンプ１５の吸引力によって給水タンクのふた１２に形成した穴１２ａを通って給水タンク６内に流入する。給水タンク６に流入した空気は，吸湿剤１３の下に形成した第１の空隙７００を通り，その後吸湿剤１３を通過する。吸湿剤１３を空気が通過する際に吸湿剤１３に含まれていた水分が脱着して空気中に供給されるので，吸湿剤１３通過後の空気は水分を含み高湿度状態となる。高湿度状態となった空気は，吸湿剤１３の上方に形成された第２の空隙８００から接続口１７，風路１４，開口部１６を順次通り，貯蔵室８へ導入される。また，貯蔵室８内の空気は，貯蔵室８の隙間を通って冷蔵室１００に排出される。
【００２２】
加湿手段の制御として，例えば，温度検出手段である温度センサ１１と連動して，温度センサ１１で検知した貯蔵室８内の温度が上昇し所定温度以上となった場合にポンプ１５を作動させて貯蔵室８内に加湿された空気を導入し，貯蔵室８内を加湿するよう制御する。加湿動作の停止は，例えば加湿開始時刻から所定時間経ったときに行うなど，各種方法が可能である。
空気搬送中は，吸湿剤１３中を空気が通過することで吸湿剤１３に含まれる水分が脱着し空気中へ放出されて吸湿剤１３の吸湿量が減少すること，給水タンク６内の高湿度の空気がポンプの作動によりにより排出されること，及び給水タンク６内への湿度の低い空気が流入することにより，タンク内６の空気中及び吸湿剤１３中の水分量が減少するので，減少分を補うように水面から水分が自然蒸発により供給される。従って，空気搬送中は，吸湿剤１３への水分の吸着と脱着が並行して行われる。
【００２３】
以上のように，高湿度となった空気が貯蔵室８に導入されるため，貯蔵室８内を加湿することができ，貯蔵室８で保存する食品を高品質の状態で保存することができる。
また，吸湿剤１３を給水タンク６内に設置することにより，加湿に必要な水分が給水タンクに貯めた水から十分供給され，吸湿剤１３が多量の水分を吸収しその内部に留めることができるので，簡単な構造で，加湿用の空気を生成することができる。
【００２４】
また，給水タンク６と貯蔵室８は，吸気または排気のための隙間または空気穴が設けられているので，連続的に空気を貯蔵室８へ搬送することができる。
また，吸湿剤１３は，給水タンク６内に水を貯めた場合に水と触れないように水と吸湿剤１３との間に第１の空隙７００が形成された状態で配設される。空隙が存在することにより，給水タンク６内の水は直接吸湿剤１３に接触することないため，給水タンク中の水に含まれる不純物が吸湿剤１３内に直接取り込まれることがない。従って，吸湿剤１３が目詰まりを起こすことなく，かつ衛生的に水分を吸湿剤１３に取り込むことができ，さらには，風路１４にスケールなどが付着することもない。
【００２５】
また，通常，給水タンク６にはその設計最大水位を超える水が貯められることはないので，設計最大水位における水面をもとに吸湿剤１３の配設位置を規定することで，一意的な位置決めができる。
また，給水タンク６内において，吸湿剤１３を挟んで相対する位置に第１及び第２の空隙を設けることで，吸湿剤１３を通過する空気が吸湿剤内を局所的に集中して通過するのを防ぐことができるので，高湿度の空気を効率よく生成することができる。
また，給水タンク６に貯めた水と第１の空隙７００は触れているので，第１の空隙７００を空気が通過する際に水面から水分が空気に直接供給されるので，高湿度の空気をさらに効率よく生成することができる。
【００２６】
また，貯蔵室８内の温度が上昇した場合あるいは所定温度以上の場合にポンプ１５を作動させ加湿動作を行うので，冷蔵庫の扉の開閉，霜取り，貯蔵室８のふた９の開閉，貯蔵室８の引き出し動作など起因して温度が上昇た場合に貯蔵室８内の湿度の低下を抑制し，高湿度状態にすることができる。
また，図５（ｂ）のような構成においては，接続口１７と風路１４との接続をより確実に行うことができる。
【００２７】
実施の形態２．
以下に，本発明の実施の形態２について図６及び図７を用いて説明する。なお，実施の形態１と同一ないしは同様の構成部分については同一ないしは同様の符号を付して一部の説明を省略し，差異を中心に説明する。
本実施の形態では，上記実施の形態１と異なり，貯蔵室８からの排気用の風路が別途形成され，ポンプ１５の配置が変更されている。
図６は，本発明の実施の形態２に係る冷蔵室１００の要部拡大側断面図であり，上記実施の形態１に示した図３と同様の断面を示している。
【００２８】
貯蔵室８は，貯蔵室８のふた９などに例えばパッキン（図示しない）が設けられ，風路１４ａとの接続用の開口である開口部１６と，風路１４ｂとの接続用で排気用の開口である排気口１８と，を除き貯蔵室８全体を略密閉状態にすることが可能な構造となっている。また，貯蔵室８は，背面の上部に開口部１６，上面に排気口１８がそれぞれ設けられ，開口部１６は吸湿剤１３を有する給水タンク６と風路１４ａで連通され，排気口１８はポンプ１５と風路１４ｂで接続されている。
図７は，本発明の実施の形態２に係る貯蔵室８の風路接続概略図である。実施の形態１の図４との風路接続方法の違いは，空気の流れにおいてポンプ１５が貯蔵室８よりも下流に位置するように配置されている点である。
【００２９】
このような構成の冷蔵庫において，ポンプ１５を作動させると，排気口１８から風路１４ｂを通って貯蔵室８内の空気が排気され冷蔵室１００から冷却器３への冷却用戻り風路（番号を付さない）と合流し，一方，給水タンク６から吸湿剤１３を通過し高湿度となった空気が風路１４ａを通って開口部１６から貯蔵室８内に導入される。
図６に示すように排気口１８を貯蔵室８の上面に設けることにより，貯蔵室８内に食品が置かれた場合でも，排気用の風路をふさぐことがないので搬送される空気の流れがスムーズになり，貯蔵室８内を安定的に加湿することができる。
【００３０】
実施の形態３．
以下に，本発明の実施の形態３について図８ないし図１０を用いて説明する。なお，実施の形態１と同一ないしは同様の構成部分については同一ないしは同様の符号を付して一部の説明を省略し，差異を中心に説明する。
本実施の形態では，空気搬送手段として，ポンプ１５のほかに，風路１４を通る空気の搬送方向及び量を制御するための弁を有している。
【００３１】
図８は，本発明の実施の形態３に係る冷蔵室１００の要部拡大側断面図であり，上記実施の形態１に示した図３と同様の断面を示している。
図において，貯蔵室８は，例えば貯蔵室８のふた９にパッキン（図示しない）が設けられ，開口部１６を除き貯蔵室８全体として略密閉可能な構造となっている。また，風路１４の途中には第２の空隙８００と風路１４との間の空気搬送の遮断を行うための弁１９が設けられている。
図９は，本発明の実施の形態３に係る貯蔵室８の風路接続概略図である。図において，実線の矢印は貯蔵室８への空気の導入時の，点線の矢印は貯蔵室からの空気の排気時の，空気の流れを各々示している。
【００３２】
このような構成の冷蔵庫において，加湿時には，まず弁１９を作動させて吸湿剤１３から貯蔵室８への空気搬送の遮断を行うとともに，貯蔵室８とポンプ１５とを連通させる。次に，ポンプ１５を作動させて，貯蔵室８内の空気を風路１４を通して排気する。これにより，貯蔵室８内は負圧状態となる。従って，開口部１６は排気用の開口としても使用される。
次に，弁１９を作動させて貯蔵室８と給水タンク６の第２の空隙８００とを連通させる。貯蔵室８内の空気の圧力が負圧であるため，貯蔵室８内が常圧になるまで，吸湿剤１３を通過し高湿度となった空気が開口部１６から導入される。
次に，高湿度の空気を導入させた後に弁１９を作動させ開口部１６における空気の搬送を止める。空気の搬送を止めることで，高湿度の空気は貯蔵室８から流出することがないので，貯蔵室の加湿効率が向上する。
【００３３】
なお，本実施の形態３の変形例として，貯蔵室８を図１０に示す構成にしてもよい。
図１０において，貯蔵室８は，冷蔵室１００から着脱可能な構成となっており，また，トレイ１０の側面に設けた突起に形成した空気接続部２０により開口部１６と接続可能な構成となっている。また，図では，貯蔵室８はふた９とトレイ１０とが着脱可能な構成となっている。開口部１６と空気接続部２０とは，例えば円筒状であり，貯蔵室８を冷蔵室１００の所定位置に設置した際に両者が嵌合するように形成されている。嵌合部分には例えばパッキンなどを配設するようにしてもよい。
このような構成の冷蔵庫においては，貯蔵室８を持ち運び可能な保存容器として利用することができ，冷蔵庫の利便性が向上する。
また，開口部１６を貯蔵室８の側面に設けているが，貯蔵室８への空気の導入のほかに貯蔵室８からの排気にも使用されるので，開口部１６を上記実施の形態２に記載のように貯蔵室８の上面に設けてもよく，空気の流れがスムーズになる。
【００３４】
実施の形態４．
以下に，本発明の実施の形態４について図１１及び図１２を用いて説明する。なお，実施の形態１と同一ないしは同様の構成部分については同一ないしは同様の符号を付して一部の説明を省略し，差異を中心に説明する。
本実施の形態では，調湿手段である吸湿剤１３と貯蔵室８の間を空気が循環するよう循環風路を形成している。
図１１は，本発明の実施の形態４に係る冷蔵室１００の要部拡大側断面図であり，上記実施の形態１に示した図３と同様の断面を示している。
【００３５】
図において，貯蔵室８は，開口部１６と排気口１８とが設けられ，給水タンク６とポンプ１５とは風路１４ａで連通されるとともに，給水タンク６と風路１４ｃで連通されている。即ち，吸湿剤１３と通過して貯蔵室８に導入された空気を吸湿剤１３側へ還流されることで，循環風路が形成される。図では，風路１４ａは給水タンク６内の第２の空隙８００と連通している。一方，風路１４ｃは給水タンク６内の第１の空隙７００と連通している。給水タンク６には，風路１４ｃとの接続のための開口（図示しない）が，上記実施の形態１の図５に示した接続口１７と同様にして，別途形成されている。
なお，上記各実施の形態と異なり，本実施の形態においては，給水タンク６のふた１２に隙間や孔は形成されない。
図１２は，本発明の実施の形態４に係る貯蔵室８の風路接続概略図である。
なお，図１２の風路接続概略図における貯蔵室８から給水タンク６へ空気が流れる風路（以下，第２の風路と記載。）は，風路１４ｃが相当する。即ち，第１の風路と第２の風路とにより循環風路が構成される。
【００３６】
このような構成の冷蔵庫において，ポンプ１５を動作させると，給水タンク６内の吸湿剤１３を通過し高湿度となった空気は風路１４ａを通って貯蔵室８へ導入される。同時に，排気口１８から風路１４ｃに貯蔵室８内の空気が排気され，排気された空気は風路１４ｃを通って第１の空隙７００を通過して吸湿剤１３へ流入する。
このように，貯蔵室８と吸湿剤１３との間を空気が循環することで，貯蔵室８内の湿度を急速に上昇させ，効率よく加湿することができる。
なお，本実施の形態においては，風路１４ａの途中にポンプを配置しているが，風路１４ｃの途中に配置するようにしてもよく，同様の効果を奏する。
また，本実施の形態においては風路１４ｃから第１の空隙７００へ空気が搬送されるようにしているが，吸湿剤１３側に空気が還流し循環するようになっていればよく，図の構造に限定されない。
【００３７】
実施の形態５．
以下に，本発明の実施の形態５について図１３を用いて説明する。なお，実施の形態１と同一ないしは同様の構成部分については同一ないしは同様の符号を付して一部の説明を省略し，差異を中心に説明する。
本実施の形態では，加湿手段の構成要素としてさらにミスト発生器を有している。ミスト発生器としてはペルチェ式のミスト発生器を用いている。
図１３は，本発明の発実施の形態５に係る冷蔵室１００の要部拡大側断面図であり，上記実施の形態１に示した図３と同様の断面を示している。
図において，貯蔵室８には，空気中の水分を冷却して結露させる結露水生成部２１aと，結露水を霧化してミストを放出する霧化部２1ｂとから構成される，ミスト発生器２１が設けられている。また，開口部１６は，ミスト発生器２１の近傍に設けられている。
【００３８】
このような構成の冷蔵庫において，ポンプ１５を作動させるとともに，ミスト発生器２１を作動させるよう制御する。給水タンク６の吸湿剤１３を通過し高湿度となった空気が風路１４を通り貯蔵室８の開口部１６から貯蔵室８内のミスト発生器２１近傍に導入される。ミスト発生器２１の結露水生成部２１ａは，ペルチェ効果を用いてその表面の温度を下げ貯蔵室８の内面付近の空気を露点以下にすることにより，近傍に供給された高湿度空気に含まれる水分を冷却して結露させる。一方，霧化部２1ｂは，結露した水を用いて貯蔵室８内にミストを発生させる。
【００３９】
以上のように，ミスト発生時にミスト発生器２１付近に高湿度な空気を供給することができるので，ミスト発生器２１により貯蔵室８内を加湿するのに必要な水分を容易に確保することができる。
なお，本実施の形態においては，ペルチェ式のミスト発生器を用いているが，結露手段としては例えば冷却器による冷却方式を，また，ミスト発生方法としては例えば超音波方式や静電噴霧方式を用いるなど，各種のミスト発生手段が可能である。
【００４０】
また，上記各実施の形態においては，貯蔵室８が冷蔵室１００と同一の温度帯制御範囲内に設けられているが，上記実施の形態に限定されない。また，貯蔵室８を，冷蔵室１００などと別個に設けているが，加湿の対象となる室であればよく「貯蔵室」という特定の名称に限定されず，例えば切替室２００を加湿する場合は切替室が本発明の対象に係る「貯蔵室」となる。
また，上記各実施の形態においては，貯水手段である給水タンク６の設置場所を冷蔵室１００内に配設しているが，貯水手段の水が凍らない摂氏０度を上回る温度環境であればよく，上記実施の形態に限定されない。
また，上記各実施の形態においては，貯水手段である給水タンク６が全体として冷蔵庫本体１と着脱可能で，また給水タンク６のふた１２と給水タンク６の下部とに分離可能としているが，例えば給水タンク６のふた１２のみが着脱可能で給水タンクの下部は冷蔵庫本体１内に固定配置されるなど，各種の変形が可能である。
【００４１】
また，上記各実施の形態においては，調湿部材である吸湿剤１３としてゼオライトなどの結晶性の規則的多孔質材料を用いるようにしているが，（１）メソポーラスシリカなどの非晶質の規則的な多孔質構造を有する材料，（２）活性炭や酸化物微粒子の造成体などの不規則な多孔質構造を有する材料，（３）ポリビニルアルコールやイオン交換樹脂などの親水性や極性の高い高分子材料，など他の材料を用いるようにしてもよい。さらに，これらの材料に，（１）炭酸塩などを含浸させさらに吸湿剤１３に吸水性を付与する，（２）銀イオンや有機系抗菌剤を混合し吸湿剤１３に抗菌性をもたせる，（３）接着性コーティングを施し吸湿剤１３からの微細な粉状の脱落を避ける，など各種変形が可能であり上記記載の各効果を奏する。
【００４２】
また，上記各実施の形態においては，空気搬送手段としてポンプ１５を用いているが，例えば送風用ファンなどの空気搬送が可能な手段であればよく，上記実施の形態に限定されない。
また，上記各実施の形態においては，貯蔵室８の開口部１６を側面に設けているが，貯蔵室８に流入する高湿度空気の流れがスムーズに行われる位置に設ければよく，上記実施の形態に限定されない。貯蔵室８の排気口１８も同様に，貯蔵室８の上部に限定されない。
【００４３】
また，上記実施の形態１以外の実施の形態では，貯蔵室８内の背面に温度センサ１１が設置されていないが，実施の形態１と同様にして貯蔵室８内の温度制御を行ってもよい。
また，上記実施の形態１，２，３，５では，給水タンク６内に流入する空気が冷蔵室１００から流入しているが，冷蔵室１００に限定されない。
また，上記実施の形態２及び実施の形態３においては，貯蔵室８からの排気を，冷蔵室１００の後部に配設され冷蔵室１００からの冷気を冷却器３に戻すための冷却用戻り風路（番号を付していない）に排出するようにしているが，例えば上記実施の形態１の図３に示すように冷蔵室１００内に排気するようにしてもよい。
【００４４】
また，上記各実施の形態においては，貯蔵室８内の温度が上昇した場合あるいは所定温度以上の場合に加湿手段のポンプ１５を作動させ貯蔵室８内に加湿空気を導入するよう冷蔵庫を構成にしているが，所定時間ごと，例えば１回／日に行う冷蔵庫の霜取り動作の際，に間欠的にポンプ１５を作動させ貯蔵室８内に加湿空気を導入するよう構成してもよい。あるいは，所定温度と所定時間との組み合わせ等のその他の条件において加湿するよう冷蔵庫を構成してもよい。このような構成の冷蔵庫においては，貯蔵室８内の湿度の低下を抑制することができる。
【００４５】
また，上記各実施の形態においては，吸湿剤１３を給水タンク６に貯めた水の水面と平行に配設し，さらに吸湿剤１３を挟んで空隙７００，８００が上下に位置するように形成しているが，例えば（１）吸湿剤１３を垂直に配設し両空隙７００，８００を吸湿剤１３の左右に形成する，（２）吸湿剤１３を斜めに配設する，など吸湿剤１３が給水タンク６の水と直接触れない配置で，かつ吸湿剤１３を空気が通過するように構成されていればよく，図に記載の形状及び配置に限定されない。
【００４６】
また，上記各実施の形態においては，第１の空隙７００と第２の空隙８００とが形成され，さらに第１の空隙７００が給水タンク６の水を接するように形成されているが，第１の風路の途中でかつ給水タンク６の水に触れない位置でかつ給水タンク６から水分を供給されるように吸湿剤１３が配設され，さらに吸湿剤１３を通過した空気が貯蔵室８へ搬送されるようになっていればよく，例えば（１）第２の空隙８００をなくし直接風路１４が吸湿剤１３に直接接するようにする，（２）第１の風路から第１の空隙７００及び第２の空隙８００を削除する，（３）第１の空隙７００及び第２の空隙８００ｓの双方が給水タンク６の水と直接触れないように形成するなど，図に記載の形状，構造及び配置に限定されない。
【００４７】
また，上記各実施の形態においては，加湿用の水を貯める貯水手段を加湿手段の構成要素の一つとして独立して備えてその水を加湿用に用いているが，加湿用の水として，例えば製氷コーナーへ製氷用の水を供給するための水を貯めるための貯水手段の水を利用するようにしてもよい。これにより別個に貯水手段を設ける必要がなく，冷蔵庫内の他のスペースに当てることができる。
さらに，上記各実施の形態は例示であり，上記各実施の形態の組み合わせを含め，当該技術分野の通常の知識をもつ者により本発明の技術的思想を外れない範囲内で各部の配置，位置関係，動作条件など種々の変形が可能である。
【符号の説明】
【００４８】
１  冷蔵庫本体、２  圧縮機、３  冷却器、４  ファン、５  冷却用風路、６  給水タンク、７  製氷コーナー、８  貯蔵室、９  貯蔵室のふた、１０  トレイ、１１  温度センサ、１２  給水タンクのふた、１２ａ  穴、１３  吸湿剤、１４，１４ａ，１４ｂ，１４ｃ  風路、１５  ポンプ、１６  開口部、１７  接続口、１８  排気口、１９  弁、２０  空気接続部、２１  ミスト発生器、２１ａ  結露水生成部、２１ｂ  霧化部、１００  冷蔵室、２００  切替室、３００  製氷室、４００  野菜室、５００  冷凍室、６００  仕切壁、７００  第１の空隙、８００  第２の空隙
【図１】
0005780275.tif 000002
【図２】
0005780275.tif 000003
【図３】
0005780275.tif 000004
【図４】
0005780275.tif 000005
【図５】
0005780275.tif 000006
【図６】
0005780275.tif 000007
【図７】
0005780275.tif 000008
【図８】
0005780275.tif 000009
【図９】
0005780275.tif 000010
【図１０】
0005780275.tif 000011
【図１１】
0005780275.tif 000012
【図１２】
0005780275.tif 000013
【図１３】
0005780275.tif 000014